(57)【要約】【課題】  部品点数を少なくして、コストダウンを図れるようにしたジョイントコネクタを提供する。【解決手段】  複数の電線１のうち任意の電線間を相互接続するためのジョイントコネクタにおいて、各電線に直接接続された複数のプレスフィット端子６０と、これらプレスフィット端子６０を所定の配列で保持する端子保持板２０と、プレスフィット端子６０を収容するハウジング４０と、このハウジング内に収容され、各プレスフィット端子６０のプレスフィット部６２がスルーホール３１に圧入されることで任意のプレスフィット端子６０間を相互接続する基板３０と、を備える。【選択図】      図１
2005322556.tif 000002
【特許請求の範囲】
【請求項１】
複数の電線のうち任意の電線間を相互接続するためのジョイントコネクタにおいて、
前記各電線に直接接続された複数の接続端子と、これら接続端子を所定の配列で保持する端子保持手段と、前記接続端子を収容するハウジングと、このハウジング内に収容され、前記各接続端子のプレスフィット部がスルーホールに圧入されることで任意の接続端子間を相互接続する基板と、を備えたことを特徴とするジョイントコネクタ。
【請求項２】
請求項１に記載のジョイントコネクタであって、
前記端子保持手段が、前記ハウジングと別体の部材として設けられ、且つ、前記ハウジング内に接続端子と共に着脱自在とされていることを特徴とするジョイントコネクタ。
【請求項３】
請求項１に記載のジョイントコネクタであって、
前記端子保持手段が前記ハウジングの壁部の一部としてハウジングと一体に設けられると共に、前記ハウジングに、前記基板を外部から着脱可能に収容するフタ付きの基板収容部が設けられていることを特徴とするジョイントコネクタ。
【請求項４】
請求項１に記載のジョイントコネクタであって、
前記ハウジング内に前記端子保持手段としてランス付きの端子収容室が設けられると共に、前記ハウジングに、前記基板を外部から着脱可能に収容するフタ付きの基板収容部が設けられていることを特徴とするジョイントコネクタ。
【発明の詳細な説明】
【技術分野】
【０００１】
本発明は、複数の電線のうち任意の電線間を相互接続するためのジョイントコネクタに関する。
【背景技術】
【０００２】
複数の電線間を相互接続するジョイントコネクタは、自動車等の電気系接続においてワイヤーハーネスの１つの幹線路から複数の分岐路を得る場合によく利用されている。
【０００３】
従来、この種のジョイントコネクタとして、ハウジングにブスバーを収容し、このブスバーに複数の端子を一体に形成して、これら端子に相手コネクタ側の端子を接続することで、相手コネクタ側の端子につながる任意の電線間をブスバーを介して相互接続するものが知られている（例えば、特許文献１、特許文献２参照）。
【０００４】
しかし、このようなブスバー式のジョイントコネクタは、特別に製作したブスバーを使用することから、構造が複雑化し、コスト高になるという問題がある。
【０００５】
そこで、プレスフィット端子を用いて回路接続することが考えられる。プレスフィット端子は、基板のスルーホールにプレスフィット部を圧入することで、端子と基板上の回路との電気接続を図るものである（例えば、特許文献３参照）
【特許文献１】特開平５−３６１９号公報
【特許文献２】特開平８−１７５３１号公報
【特許文献３】特開平７−１９２７９９号公報
【発明の開示】
【発明が解決しようとする課題】
【０００６】
図１２はプレスフィット端子（接続端子）を使用したジョイントコネクタの先行例を示している。
【０００７】
図１２において、１は電線、２はメス端子、３はオスコネクタハウジングで、オスコネクタハウジング３の端子収容室４に、電線１を後端に接続したメス端子２を挿入し係止することで、オス側のコネクタが構成されている。
【０００８】
メス側のコネクタは、オス端子としての複数のプレスフィット端子１０と、これらプレスフィット端子１０を所定の配列で保持する端子保持板２０と、ジョイント回路を形成した基板３０と、これら基板３０、端子保持板２０及びプレスフィット端子１０を収容するハウジング４０とから構成されている。
【０００９】
プレスフィット端子１０は、長さ方向の中間部に、端子保持板２０の圧入孔２１に圧入固定される固定部１１、一端側に、幅方向に収縮しながら基板３０のスルーホール３１に圧入されるプレスフィット部１２及び圧入時の案内部１３、他端側に、相手コネクタ側のメス端子２に嵌合するピン部１４を有しており、端子保持板２０の圧入孔２１に固定部１１を圧入することで、端子保持板２０に所定の配列状態で保持されている。
【００１０】
そして、ハウジング４０内に、基板３０及びプレスフィット端子１０を保持した端子保持板２０を順に収容し、各プレスフィット端子１０のプレスフィット部１２を、基板３０のスルーホール３１にそれぞれ圧入することで、任意のプレスフィット端子１０間を相互接続したメス側のコネクタが構成されている。なお、ハウジング４０の底板４１には、プレスフィット端子１０の案内部１３を逃がすための凹所４１ａがある。
【００１１】
従って、このオス側のコネクタのハウジング３とメス側のコネクタのハウジング４０とを嵌合することにより、プレスフィット端子１０及び基板２０上のジョイント回路を介して、任意の電線１間を相互接続することができる。
【００１２】
ところで、このジョイントコネクタでは、任意の電線１間を相互接続するのに、２つのコネクタハウジング３、４０と、２種類の接続端子（メス端子２、プレスフィット端子１０）を使用しているので、部品点数が多く、コストアップになっていた。
【００１３】
本発明は、上記事情を考慮し、部品点数を少なくして、コストダウンを図れるようにしたジョイントコネクタを提供することを目的とする。
【課題を解決するための手段】
【００１４】
請求項１の発明は、複数の電線のうち任意の電線間を相互接続するためのジョイントコネクタにおいて、前記各電線に直接接続された複数の接続端子と、これら接続端子を所定の配列で保持する端子保持手段と、前記接続端子を収容するハウジングと、このハウジング内に収容され、前記各接続端子のプレスフィット部がスルーホールに圧入されることで任意の接続端子間を相互接続する基板と、を備えたことを特徴とする。
【００１５】
請求項２の発明は、請求項１に記載のジョイントコネクタであって、前記端子保持手段が、前記ハウジングと別体の部材として設けられ、且つ、前記ハウジング内に接続端子と共に着脱自在とされていることを特徴とする。
【００１６】
請求項３の発明は、請求項１に記載のジョイントコネクタであって、前記端子保持手段が前記ハウジングの壁部の一部としてハウジングと一体に設けられると共に、前記ハウジングに、前記基板を外部から着脱可能に収容するフタ付きの基板収容部が設けられていることを特徴とする。
【００１７】
請求項４の発明は、請求項１に記載のジョイントコネクタであって、前記ハウジング内に前記端子保持手段としてランス付きの端子収容室が設けられると共に、前記ハウジングに、前記基板を外部から着脱可能に収容するフタ付きの基板収容部が設けられていることを特徴とする。
【発明の効果】
【００１８】
請求項１の発明によれば、プレスフィット部を有する接続端子に直接電線を接続し、各端子のプレスフィット部を、ハウジング内に収容した基板のスルーホールに圧入することで、電線間の相互接続を行うようにしているので、相手側のコネクタハウジング及び接続端子を廃止することができ、その分、部品点数を減らすことができて、コストダウンが図れる。
【００１９】
請求項２の発明によれば、端子保持手段を、ハウジングと別体の部材として設け、その端子保持手段をハウジング内に対し接続端子と共に着脱自在としたので、接続端子を保持した端子保持手段をハウジング内に収容して、各接続端子のプレスフィット部を基板のスルーホールに圧入させることで、電線間の相互接続を行うことができる。
【００２０】
請求項３の発明によれば、端子保持手段をハウジングと一体に設けると共に、ハウジングに、基板を着脱自在に収容する基板収容部を設けたので、その基板収容部に基板を収容し、各接続端子のプレスフィット部を基板のスルーホールに圧入させることで、電線間の相互接続を行うことができる。なお、基板収容部は、基板を収容した状態でフタで塞ぐことができる。
【００２１】
請求項４の発明によれば、ハウジング内に端子保持手段としてランス付きの端子収容室を設けると共に、ハウジングに、基板を着脱自在に収容する基板収容部を設けたので、その基板収容部に基板を収容し、各接続端子のプレスフィット部を基板のスルーホールに圧入させることで、電線間の相互接続を行うことができる。なお、基板収容部は、基板を収容した状態でフタで塞ぐことができる。
【発明を実施するための最良の形態】
【００２２】
以下、本発明の各実施形態を図面に基づいて説明する。
【００２３】
図１は第１実施形態のジョイントコネクタの分解斜視図、図２は組立状態の断面図である。
【００２４】
このジョイントコネクタは、複数の電線１のうち任意の電線１間を相互接続するためのものであり、前記各電線１に直接一端が接続された複数のプレスフィット端子（接続端子）６０と、これらプレスフィット端子６０を所定の配列で保持する端子保持板２０と、プレスフィット端子６０を収容するハウジング４０と、このハウジング４０内に収容され、各プレスフィット端子６０のプレスフィット部６２がスルーホール３１に圧入されることで任意のプレスフィット端子６０間を相互接続する基板３０と、を備えている。なお、端子保持板２０、基板３０、ハウジング４０の構成は、図１２に示したものと同様である。
【００２５】
ここで用いるプレスフィット端子６０は、長さ方向の中間部に、端子保持板２０の圧入孔２１に圧入固定される固定部６１、一端側に、電線１に直接接続（加締め、圧接、溶着等により接続）される電線接続部６４、他端側に、幅方向に収縮しながら基板３０のスルーホール３１に圧入されるプレスフィット部６２及び圧入時の案内部６３を有しており、端子保持板２０の圧入孔２１に固定部６１を圧入することで、端子保持板２０に所定の配列状態で保持されている。
【００２６】
そして、ハウジング４０内の底部に、まず基板３０を収容し、続いてプレスフィット端子６０を保持した端子保持板２０を収容し、各プレスフィット端子６０のプレスフィット部６２を基板３０のスルーホール３１にそれぞれ圧入することで、任意のプレスフィット端子６０間、つまり、電線１間を相互接続している。
【００２７】
このように、直接プレスフィット端子６０の一端に電線１を接続したので、相手側のコネクタハウジング及び接続端子を廃止することができ、その分、部品点数を減らすことができて、コストダウンが図れる。
【００２８】
また、本実施形態のジョイントコネクタでは、ハウジング４０と別体に構成した端子保持板２０にプレスフィット端子６０を固定しているので、端子保持板２０を、オスコネクタの代用としてハウジング４０の着脱させることもできる。
【００２９】
図３は第２実施形態のジョイントコネクタの分解断面図、図４は組立状態の断面図である。
【００３０】
このジョイントコネクタでは、一端に電線１が接続されたプレスフィット端子６０を所定の配列状態に保持する端子保持手段が、ハウジング７０の壁部７１として一体に設けられている。また、ハウジング７０の前記壁部７１と反対側に、基板３０を外部から着脱可能に収容するフタ７８付きの基板収容部７３が設けられている。プレスフィット端子６０は、ハウジング７０の成形時にインサートされている。もちろん、圧入孔を形成しておいて、後から圧入固定してもよい。
【００３１】
基板収容部７３は、フード７２によって囲われており、プレスフィット端子６０のプレスフィット部６２及び案内部６３が、基板収容部７３内に突出している。この場合のフタ７８は、ハウジング７０と分離されており、基板収容部７３に基板３０を収容した状態で、後から基板収容部７３の開口を塞ぐことができるようになっている。フタ７８及びフード７２の先端には、フタ７８の脱落防止用のロック部７５、７９が設けられている。なお、このフタ７８に、プレスフィット端子６０の案内部６３を逃がすための凹所７８ａが設けられている。その他の構成は、図１の第１実施形態と同様であるので、説明は省略する。
【００３２】
このジョイントコネクタでは、基板３０を後からハウジング７０に収容することにより、基板３０のスルーホール３１に、各プレスフィット端子６０のプレスフィット部６２を圧入させることができ、それにより電線１間の相互接続を行うことができる。この状態で、フタ７８を閉めることで、基板３０と端子６０の接続部分を保護することができる。
【００３３】
図５は第３実施形態のジョイントコネクタの分解断面図、図６は組立状態の断面図である。
【００３４】
このジョイントコネクタでは、ハウジング７０Ｂの基板収容部７３の開口を塞ぐフタ７８を、ハウジング７０Ｂのフード７２の先端にヒンジ７６を介して一体に取り付けている。その他の構成、作用は図３の第２実施形態のジョイントコネクタと全く同じである。
【００３５】
図７は第４実施形態のジョイントコネクタの分解斜視図、図８はハウジングと基板の関係を示す断面図であり、（ａ）は基板を組み付ける前の状態、（ｂ）は基板を組み付けてフタで塞いだ状態をそれぞれ示す断面図である。また、図９は端子収容室及び基板とプレスフィット端子の関係を示す拡大図、図１０は図９のＡ−Ａ矢視断面図、図１１はプレスフィット端子を端子収容室に挿入し係止した状態を示す拡大図である。
【００３６】
この実施形態のジョイントコネクタでは、ハウジング８０を両端開放の筒状に形成してあり、その内部に端子保持手段として、ランス８６付きの端子収容室８１を、仕切壁８２で区画することにより設けている。また、ハウジング８０の端子挿入側と反対側に、基板３０を外部から着脱可能に収容するフタ８８付きの基板収容部８３を設けている。また、プレスフィット端子６０Ｂの固定部６１に、ランス８６に係合する係合孔６６を設けている。
【００３７】
この場合のフタ８８は、ハウジング８０の周壁にヒンジ７６を介して連結されており、基板収容部８３に基板３０を収容した状態で、後から基板収容部８３の開口を塞ぐことができるようになっている。フタ８８及びハウジング８０の周壁の先端には、フタ８８の脱落防止用のロック部８５、８９が設けられている。なお、このフタ８８に、プレスフィット端子６０の案内部６３を逃がすための凹所８８ａが設けられている。その他の構成は、図１の第１実施形態と同様であるので、説明は省略する。
【００３８】
このジョイントコネクタを組み立てる場合は、ハウジング８０の端子収容室８１内に、後端に電線１を接続したプレスフィット端子６０Ｂを挿入する。そうすると、ランス８６が係合孔６６に係合して、プレスフィット端子６０Ｂが抜け止めロックされる。この際、図７、図９に示すように、端子固定治具１００を用いて行う。即ち、端子固定治具１００の段付き孔１０１に、プレスフィット端子６０Ｂの端部を係止し、全部のプレスフィット端子６０Ｂを一緒にハウジング８０の端子収容室８１に挿入する。そうすることで、一気に全端子６０Ｂを挿入・係止することができる。
【００３９】
次に、ハウジング８０の基板収容部８３に基板３０を収容し、各プレスフィット端子６０Ｂのプレスフィット部６２を、基板３０のスルーホール３１に圧入させる。そうすることで、電線１間の相互接続を行うことができる。この状態で、フタ８８を閉めることにより、基板３０と端子６０Ｂの接続部分を保護することができる。
【図面の簡単な説明】
【００４０】
【図１】本発明の第１実施形態のジョイントコネクタの分解斜視図である。
【図２】図１のジョイントコネクタの組立状態の断面図である。
【図３】本発明の第２実施形態のジョイントコネクタの分解断面図である。
【図４】図３のジョイントコネクタの組立状態の断面図である。
【図５】本発明の第３実施形態のジョイントコネクタの分解断面図である。
【図６】図５のジョイントコネクタの組立状態の断面図である。
【図７】本発明の第４実施形態のジョイントコネクタの分解斜視図である。
【図８】同ジョイントコネクタのハウジングと基板の関係を示す断面図であり、（ａ）は基板を組み付ける前の状態、（ｂ）は基板を組み付けてフタで塞いだ状態をそれぞれ示す断面図である。
【図９】図７のジョイントコネクタにおける端子収容室及び基板とプレスフィット端子の関係を示す拡大図である。
【図１０】図９のＡ−Ａ矢視断面図である。
【図１１】図７のジョイントコネクタにおいて、プレスフィット端子を端子収容室に挿入し係止した状態を示す拡大図である。
【図１２】先行例のジョイントコネクタの分解斜視図である。
【符号の説明】
【００４１】
１  電線
２０  端子保持板（端子保持手段）
３０  基板
３１  スルーホール
４０  ハウジング
６０，６０Ｂ  プレスフィット端子（接続端子）
６２  プレスフィット部
７０，７０Ｂ  ハウジング
７１  壁部（端子保持手段）
７３  基板収容部
７８  フタ
８０  ハウジング
８１  端子収容室
８６  ランス
【図１】
2005322556.tif 000003
【図２】
2005322556.tif 000004
【図３】
2005322556.tif 000005
【図４】
2005322556.tif 000006
【図５】
2005322556.tif 000007
【図６】
2005322556.tif 000008
【図７】
2005322556.tif 000009
【図８】
2005322556.tif 000010
【図９】
2005322556.tif 000011
【図１０】
2005322556.tif 000012
【図１１】
2005322556.tif 000013
【図１２】
2005322556.tif 000014